(57)【要約】【課題】給水弁の給水受け口を洗濯機本体の背面から後方へ向けて突出する状態で設けたものにおいて、給水受け口を破損し難くできる洗濯機を提供する。【解決手段】本実施形態の洗濯機は、内部に槽を収容した洗濯機本体の上部の後部に給水弁を備える。給水弁は、後端部が洗濯機本体の背面より後方へ突出する給水受け口を有し、当該給水受け口から供給される水を前記槽内へ供給する。洗濯機本体の上部に、後端部が前記給水受け口の後端部よりも後方へ突出する突起部を設ける。【選択図】図１
2012187185.tif 000002
【特許請求の範囲】
【請求項１】
内部に槽を収容した洗濯機本体の上部の後部に、後端部が前記洗濯機本体の背面より後方へ突出する給水受け口を有し当該給水受け口から供給される水を前記槽内へ供給するための給水弁を備えた洗濯機において、
前記洗濯機本体の上部に、後端部が前記給水受け口の後端部よりも後方へ突出する突起部を設けたことを特徴とする洗濯機。
【請求項２】
前記突起部は、前記給水受け口を挟んで左右両側に配置されていることを特徴とする請求項１記載の洗濯機。
【請求項３】
前記突起部は、後方へ向けて突出する後ろ向き突部と、この後ろ向き突部から上方へ向けて突出する上向き突部とを有していることを特徴とする請求項１または２記載の洗濯機。
【請求項４】
前記突起部の後端部は、前記給水受け口に接続される給水ホースの根元部分よりも後方へ突出していることを特徴とする請求項１〜３のいずれか一項に記載の洗濯機。
【発明の詳細な説明】
【技術分野】
【０００１】
本発明の実施形態は洗濯機に関する。
【背景技術】
【０００２】
従来、洗濯機においては、洗濯機本体の上部の後部に給水弁が設けられている。この給水弁は、給水ホースが接続される給水受け口を有していて、水源である水道から給水ホースを介して給水受け口に供給される水を、洗濯機本体内に収容された槽内に供給する。このような洗濯機において、前記給水弁の給水受け口が、洗濯機本体の背面から後方へ向けて突出する状態で設けられていると、洗濯機の運搬時や設置時などの際に、その給水受け口が周囲の壁などに当たって破損しやすいという課題がある。
【先行技術文献】
【特許文献】
【０００３】
【特許文献１】特開２００１−１４９６８９号公報
【発明の概要】
【発明が解決しようとする課題】
【０００４】
そこで、給水弁の給水受け口を洗濯機本体の背面から後方へ向けて突出する状態で設けたものにおいて、給水受け口を破損し難くできる洗濯機を提供する。
【課題を解決するための手段】
【０００５】
本実施形態の洗濯機は、内部に槽を収容した洗濯機本体の上部の後部に給水弁を備える。給水弁は、後端部が洗濯機本体の背面より後方へ突出する給水受け口を有し、当該給水受け口から供給される水を前記槽内へ供給する。洗濯機本体の上部に、後端部が前記給水受け口の後端部よりも後方へ突出する突起部を設ける。
【図面の簡単な説明】
【０００６】
【図１】第１実施形態による洗濯機の要部の側面図
【図２】洗濯機の背面側からの外観斜視図
【図３】洗濯機の概略的な縦断側面図
【図４】第２実施形態による図１相当図
【図５】第３実施形態による図１相当図
【発明を実施するための形態】
【０００７】
以下、複数の実施形態による洗濯機を図面に基づいて説明する。なお、各実施形態において実質的に同一の構成部位には同一の符号を付し、説明を省略する。
（第１実施形態）
まず、第１実施形態の洗濯機について、図１〜図３を参照して説明する。図２および図３に示すように、洗濯機本体１の外殻を構成する外箱２は、矩形箱状をなしていて、底部に合成樹脂製の台板３が設けられ、上部に合成樹脂製のトップカバー４が設けられている。外箱２の内部には、水槽５が配設されている。この水槽５は、上部に開口部を有する円筒容器状をなしていて、貯水が可能であり、弾性吊持機構６を介して外箱２に弾性的に吊持された状態で設けられている。水槽５の底部には排水口７が設けられ、この排水口７に、排水弁８を介して排水管９が接続されている。
【０００８】
水槽５の内部には、上部に開口部を有する二重の円筒容器状をなす回転槽１０が回転可能に設けられている。この回転槽１０は、内部に洗濯物（図示せず）を収容し、洗濯時には洗濯槽として機能し、脱水時には脱水槽として機能する。この回転槽１０は、図示しない脱水孔を有していて、脱水時に高速回転されて洗濯物を遠心脱水するものであり、上部の開口部には環状をなすバランサ１１が装着されている。水槽５および回転槽１０は、洗濯機本体１内に収容された槽を構成している。この場合、水槽５および回転槽１０は、軸方向が上下方向に指向する縦軸型となっている。
【０００９】
回転槽１０内の底部には、洗濯時に洗濯物を撹拌する撹拌体１２が回転可能に設けられている。水槽５の外底部には、モータ１３と、図示しないクラッチとが設けられている。洗濯時およびすすぎ時には、モータ１３により前記撹拌体１２のみを低速度で正逆回転させ、脱水時には、モータ１３により前記回転槽１０と撹拌体１２を一体に一方向へ高速回転させる構成となっている。
【００１０】
上記トップカバー４には、回転槽１０の開口部の上方に位置させて洗濯物出入口１４が設けられているとともに、この洗濯物出入口１４を開閉する蓋１５が開閉可能に設けられている。蓋１５は、二つ折り式となっている。そして、トップカバー４の後部（図１および図３において左側）の内部には、図３に示すように給水弁１６および注水部材１７が設けられている。トップカバー４の後部の上部にはバックカバー１８が装着されていて、給水弁１６および注水部材１７はそのバックカバー１８により上方から覆われている。したがって、給水弁１６は、洗濯機本体１の上部の後部に設けられている。
【００１１】
給水弁１６は、円筒状をなす給水受け口１９と、電磁弁２０と、円筒状をなす吐出口２１とを備えている。このうちの給水受け口１９は、図１にも示すように、後端部１９ａがトップカバー４の背面４ａ（洗濯機本体１の背面でもある）よりも後方へ突出している。給水受け口１９の外周部には雄ねじ部１９ｂが形成されている。この給水受け口１９には、給水ホース２２（図１に二点鎖線にて示す）の一端部の接続部２２ａが接続される。その接続部２２ａは、内周部に雌ねじ部を有していて、その雌ねじ部を給水受け口１９の雄ねじ部１９ｂに螺合させることによって給水受け口１９に取り付けられる。給水ホース２２の他端部は、図示はしないが、水源となる例えば水道の蛇口に接続される。給水弁１６の前記吐出口２１は、前方に向けられていて、注水部材１７の入水口１７ａに接続されている。注水部材１７の出水口１７ｂは、回転槽１０の上面開口部に上方から臨んでいる。
【００１２】
給水弁１６の前記電磁弁２０は、給水受け口１９と吐出口２１との間に位置してこれらの間の水路を開閉する。その水路を開放した状態では、水道から給水ホース２２を通して供給される水は、図３に矢印で示すように、給水受け口１９から給水弁１６内に入り、吐出口２１から注水部材１７内を通り、出水口１７ｂから回転槽１０内ひいては水槽５内に供給される。電磁弁２０により給水弁１６内の水路が閉鎖されると、給水弁１６から注水部材１７側への給水が停止される。
【００１３】
さて、図２に示すように、洗濯機本体１の上部であるトップカバー４の背面４ａには、前記給水受け口１９を挟んだ左右両側に位置させて、同一形状の突起部２５が設けられている。これら２個の突起部２５は、それぞれの後端部２５ａが前記給水受け口１９の後端部１９ａよりも後方へ突出している。この場合、突起部２５の後端部２５ａが、給水受け口１９の後端部１９ａよりも後方へ突出した突出寸法をＡ１（図１参照）にて示す。各突起部２５は、後方へ向けて突出する後ろ向き突部２６と、この後ろ向き突部２６の先端部から上方に向けて突出するように設けられた上向き突部２７とを一体に有していて、横から見てＬ字状をなしている。この場合、左右２個の突起部２５は、合成樹脂製のトップカバー４に一体成形により一体に設けられている。
【００１４】
上記した実施形態においては、給水弁１６の給水受け口１９を、洗濯機本体１の背面（トップカバー４の背面４ａ）から後方へ向けて突出する状態で設けたものにおいて、給水受け口１９の近傍となる洗濯機本体１の上部におけるトップカバー４に、後端部２４ａが給水受け口１９の後端部１９ａよりも後方へ突出する突起部２５を設けた構成とした。この構成により、洗濯機の運搬時や設置時などにおいて、給水受け口１９が周囲の壁などに当たる前に、まず突起部２５が当たりやすくなるので、給水受け口１９が破損することを極力防止することができ、給水受け口１９を破損し難くできる。
【００１５】
上記突起部２５は、給水受け口１９を挟んだ左右両側に配置しているので、給水受け口１９を一層破損し難くできる。左右の各突起部２５は、後ろ向き突部２６と上向き突部２７とを有したＬ字状をなしているので、洗濯機の運搬時や洗濯機を展示する際などに、洗濯機が有する電源コード（図示せず）をそれら突起部２５に引っ掛けておくことができる。また、特に洗濯機を展示する際には、広告台紙を、それら突起部２５を利用して立て掛けておくことができる利点もある。
【００１６】
（第２実施形態）
第２実施形態について図４を参照して説明する。トップカバー４の背面４ａに設けられた突起部３０は、後方へ向けて突出する後ろ向き突部３１と、この後ろ向き突部３１の前後方向の中間部から上方に向けて突出するように設けられた上向き突部３２とを一体に有していて、横から見て逆Ｔ字状をなしている。この突起部３０の後端部３０ａとなる後ろ向き突部３１の後端部は、第１実施形態における突起部２５の後ろ向き突部２６よりも後方へ大きく突出していて、給水受け口１９に接続された給水ホース２２の根元部分２２ｂよりも後方へ突出している（図４の突出寸法Ａ２参照）。給水ホース２２の根元部分２２ｂはＬ字状に屈曲していて、この場合、給水ホース２２の他端部は上方へ導出されている。なお、突起部３０は、図４では手前側の１個のみが示されているが、この実施形態においても第１実施形態と同様に、給水受け口１９を挟んで左右両側に配置されている。
【００１７】
この第２実施形態においては、突起部３０を設けたことにより、給水受け口１９に接続された給水ホース２２が潰れるようなことも防止でき、給水受け口１９だけでなく、給水ホース２２も保護することが可能になる。
【００１８】
（第３実施形態）
第３実施形態について図５を参照して説明する。この第３実施形態においては、弾性体３４を備えている。この弾性体３４は、例えばゴム製で、図５において中央部に上下方向に延びる嵌合孔を有する円柱状をなしていて、第１実施形態における突起部２５の上向き突部２７にその嵌合孔を上方から嵌合させることによって着脱可能に装着している。この弾性体３４の装着状態において、当該弾性体３４の後端部３４ａが、第２実施形態と同様に、給水受け口１９に接続された給水ホース２２の根元部分２２ｂよりも後方へ突出している（図５の突出寸法Ａ３参照）。
この第３実施形態においても、第２実施形態と同様な作用効果を得ることができる。
【００１９】
（その他の実施形態）
突起部２５，３０は、トップカバー４に一体成形することに代えて、トップカバー４とは別部材にて形成し、トップカバー４にねじ等によって取り付ける構成としてもよい。
洗濯機としては、上記実施形態で例示した水槽５および回転槽１０の軸方向が上下方向に指向した縦軸型の全自動洗濯機に限られず、水槽およびこの水槽内に回転可能に収容されるドラムの軸方向が横向きのドラム式洗濯機にも適用できる。
【００２０】
以上のように本実施形態の洗濯機によれば、給水弁の給水受け口を洗濯機本体の背面から後方へ向けて突出する状態で設けたものにおいて、洗濯機本体の上部に、後端部が給水受け口の後端部よりも後方へ突出する突起部を設けた構成とした。この構成としたことにより、洗濯機の運搬時や設置時などにおいて、給水受け口が周囲の壁などに当たる前に、まず突起部が当たりやすくなるので、給水受け口が破損することを極力防止することができるようになり、給水受け口を破損し難くできる。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
図面中、１は洗濯機本体、４はトップカバー、４ａは背面（洗濯機本体の背面）、５は水槽（槽）、１０は回転槽（槽）、１６は給水弁、１９は給水受け口、１９ａは後端部、２２は給水ホース、２２ｂは根元部分、２５は突起部、２５ａは後端部、２６は後ろ向き突部、２７は上向き突部、３０は突起部、３０ａは後端部、３１は後ろ向き突部、３２は上向き突部、３４は弾性体、３４ａは後端部を示す。
【図１】
2012187185.tif 000003
【図２】
2012187185.tif 000004
【図３】
2012187185.tif 000005
【図４】
2012187185.tif 000006
【図５】
2012187185.tif 000007